(57)【要約】本発明は、溶液重合により生成するポリマー溶液から溶媒を効率よく除去する脱溶媒方法及び脱溶媒装置に関する。本発明のポリマー溶液の脱溶媒方法は、ポリマー溶液とスチームとを接触させてスチームストリッピングにより溶媒を除去する脱溶媒方法において、スチームの一部を、ポリマー溶液を脱溶媒タンク１に移送する配管２に供給する工程と、スチームの残部を脱溶媒タンク内に供給する工程とを備える。特に、スチームの全量を１００質量％とした場合に、配管に供給されるスチームが１０〜９０質量％であることが好ましい。ポリマー溶液に含有されるポリマーとしては、ブタジエンゴム、スチレン・ブタジエンゴム、エチレン・α−オレフィン・非共役ジエン共重合ゴム等の各種のものが挙げられる。また、溶媒は、ｎ−ヘキサン、ｎ−ヘプタン、シクロヘキサン、トルエン等であることが好ましい。
2004007567.tif 000002
【特許請求の範囲】
【請求項１】
ポリマー溶液とスチームとを接触させてスチームストリッピングにより溶媒を除去する脱溶媒方法において、該スチームの一部を、該ポリマー溶液を脱溶媒タンクに移送する配管に供給する工程と、該スチームの残部を該脱溶媒タンク内に供給する工程とを備えることを特徴とするポリマー溶液の脱溶媒方法。
【請求項２】
上記配管に気液混合器が配設されており、上記スチームの一部を該気液混合器に供給する請求項１に記載のポリマー溶液の脱溶媒方法。
【請求項３】
上記スチームの全量を１００質量％とした場合に、上記配管に供給されるスチーム量が１０〜９０質量％である請求項１に記載のポリマー溶液の脱溶媒方法。
【請求項４】
上記ポリマー溶液に含有されるポリマーが、ブタジエンゴム、イソプレンゴム、スチレン・ブタジエンゴム、スチレン・イソプレンゴム、エチレン・α−オレフィン共重合ゴム、エチレン・α−オレフィン・非共役ジエン共重合ゴム、ブチルゴム、スチレン・ブタジエン・スチレンブロック共重合体、水素添加スチレン・ブタジエン・スチレンブロック共重合体、ブタジエン樹脂又はアクリル樹脂である請求項１に記載のポリマー溶液の脱溶媒方法。
【請求項５】
上記溶媒が、シクロヘキサン、シクロペンタン、シクロヘプタン、トルエン、ベンゼン、キシレン、ｎ−ヘキサン、ｎ−ペンタン、イソペンタン、ｎ−ヘプタン、ｎ−オクタン、ｎ−デカン、ジクロロメタンの群から選択される少なくとも１種である請求項１に記載のポリマー溶液の脱溶媒方法。
【請求項６】
圧力０．１ＭＰａにおける上記溶媒の沸点が２５〜１８０℃である請求項１に記載のポリマー溶液の脱溶媒方法。
【請求項７】
上記脱溶媒タンクに上記ポリマー溶液を連続的に供給し、且つ該ポリマー溶液に含有されていたポリマーの回収を連続的に行う請求項１に記載のポリマー溶液の脱溶媒方法。
【請求項８】
上記配管に供給されるスチーム量が、上記溶媒の蒸発に必要な理論量の０．５〜２倍である請求項１に記載のポリマー溶液の脱溶媒方法。
【請求項９】
上記脱溶媒タンクは、下記（１）、（２）及び（３）の部材から選択される少なくとも１種を備えるものである請求項１に記載のポリマー溶液の脱溶媒方法。
（１）上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材。
（２）上記脱溶媒タンクの内部に配設され、ポリマーの付着を抑制するため、又は付着したポリマーを液相部に流下させるための温水を撒布する散水器。
（３）上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造。
【請求項１０】
上記脱溶媒タンクは、下記（１）、（２）及び（３）の部材から選択される少なくとも１種を備えるものである請求項２に記載のポリマー溶液の脱溶媒方法。
（１）上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材。
（２）上記脱溶媒タンクの内部に配設され、ポリマーの付着を抑制するため、又は付着したポリマーを液相部に流下させるための温水を撒布する散水器。
（３）上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造。
【請求項１１】
脱溶媒タンクと、一端側が該脱溶媒タンクに開口し、ポリマー溶液を該脱溶媒タンクに移送するためのポリマー溶液移送用配管と、該ポリマー溶液移送用配管に接続され、且つ該配管にスチームを供給する配管用スチーム供給配管と、一端側が該脱溶媒タンクに開口するタンク用スチーム供給配管とを備えることを特徴とする脱溶媒装置。
【請求項１２】
上記ポリマー溶液移送用配管に配設された気液混合器、及び該ポリマー溶液移送用配管又は該気液混合器に接続され、且つ該気液混合器にスチームを供給する気液混合器用スチーム供給配管を備える請求項１１に記載の脱溶媒装置。
【請求項１３】
上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材を備える請求項１１に記載の脱溶媒装置。
【請求項１４】
上記分割部材は、上記脱溶媒タンクの内壁側から中心側に向かって下方に傾斜しているコーン型の形状を有し、且つ中心部にのみ開口を有する請求項１３に記載の脱溶媒装置。
【請求項１５】
上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材を備える請求項１２に記載の脱溶媒装置。
【請求項１６】
上記分割部材は、上記脱溶媒タンクの内壁側から中心側に向かって下方に傾斜しているコーン型の形状を有し、且つ中心部にのみ開口を有する請求項１５に記載の脱溶媒装置。
【請求項１７】
上記脱溶媒タンクの内部に配設され、クラムの付着を抑制するため、又は付着したクラムを液相部に流下させるための温水を撒布する散水器を備える請求項１１に記載の脱溶媒装置。
【請求項１８】
上記脱溶媒タンクの内部に配設され、クラムの付着を抑制するため、又は付着したクラムを液相部に流下させるための温水を撒布する散水器を備える請求項１２に記載の脱溶媒装置。
【請求項１９】
上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造を備える請求項１１に記載の脱溶媒装置。
【請求項２０】
上記フラッシュノズル構造が、先端側に分岐管が配設されたフラッシュノズルである請求項１９に記載の脱溶媒装置。
【請求項２１】
上記フラッシュノズルの先端部に取り付けられ、且つ上記脱溶媒タンクの下方に向かって開口しているクラム飛散抑制部材を備える請求項２０に記載の脱溶媒装置。
【請求項２２】
上記フラッシュノズル構造が、少なくとも上記脱溶媒タンクの下方に向かって開口している筒体と、上記ポリマー溶液移送用配管に連設され、且つ該筒体の内壁面近傍において該筒体の径方向に向かって開口しているフラッシュノズルとを備える請求項１９に記載の脱溶媒装置。
【請求項２３】
上記フラッシュノズル構造が、上記ポリマー溶液移送用配管に連設され、且つ上記脱溶媒タンクの上下方向に螺旋状に形成された螺旋管に、該脱溶媒タンクの下方に向かって開口が設けられたものである請求項１９に記載の脱溶媒装置。
【請求項２４】
上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造を備える請求項１２に記載の脱溶媒装置。
【請求項２５】
上記フラッシュノズル構造が、先端側に分岐管が配設されたフラッシュノズルである請求項２４に記載の脱溶媒装置。
【請求項２６】
上記フラッシュノズルの先端部に取り付けられ、且つ上記脱溶媒タンクの下方に向かって開口しているクラム飛散抑制部材を備える請求項２５に記載の脱溶媒装置。
【請求項２７】
上記フラッシュノズル構造が、少なくとも上記脱溶媒タンクの下方に向かって開口している筒体と、上記ポリマー溶液移送用配管に連設され、且つ該筒体の内壁面近傍において該筒体の径方向に向かって開口しているフラッシュノズルとを備える請求項２４に記載の脱溶媒装置。
【請求項２８】
上記フラッシュノズル構造が、上記ポリマー溶液移送用配管に連設され、且つ上記脱溶媒タンクの上下方向に螺旋状に形成された螺旋管に、該脱溶媒タンクの下方に向かって開口が設けられたものである請求項２４に記載の脱溶媒装置。
【請求項２９】
上記ポリマー溶液移送用配管に連設されたフラッシュノズルが開口する位置より下方側に、上記脱溶媒タンクの気相部を上下に分割するように配設され、該フラッシュノズルから排出される溶媒蒸気の液相側への対流を抑制するための分割部材と、
上記脱溶媒タンクの内部に配設され、ポリマーの付着を抑制するため、又は付着したポリマーを液相部に流下させるための温水を撒布する散水器と、を備える請求項１１に記載の脱溶媒装置。
【請求項３０】
上記ポリマー溶液移送用配管に連設されたフラッシュノズルが開口する位置より下方側に、上記脱溶媒タンクの気相部を上下に分割するように配設され、該フラッシュノズルから排出される溶媒蒸気の液相側への対流を抑制するための分割部材と、
上記脱溶媒タンクの内部に配設され、ポリマーの付着を抑制するため、又は付着したポリマーを液相部に流下させるための温水を撒布する散水器と、を備える請求項１２に記載の脱溶媒装置。
【請求項３１】
上記脱溶媒タンクの内部に配設され、ポリマーの付着を抑制するため、又は付着したポリマーを液相部に流下させるための温水を撒布する散水器と、
上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造と、を備える請求項１１に記載の脱溶媒装置。
【請求項３２】
上記脱溶媒タンクの内部に配設され、ポリマーの付着を抑制するため、又は付着したポリマーを液相部に流下させるための温水を撒布する散水器と、
上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造と、を備える請求項１２に記載の脱溶媒装置。
【発明の詳細な説明】
【技術分野】  本発明は、ポリマー溶液の脱溶媒方法及び脱溶媒装置に関する。更に詳しくは、本発明は、溶液重合により生成するポリマー溶液から溶媒を効率よく除去する脱溶媒方法及びそれに用いられる脱溶媒装置に関する。
【背景技術】  溶液重合により生成するポリマー溶液に含有されるポリマーの回収は、通常、このポリマー溶液を水洗し、触媒残渣等を分解して除去した後、脱揮処理し、ポリマー溶液から溶媒及び未反応モノマー、又は残留する少量の水等の揮発成分を除去することにより行われる。また、脱揮処理においては、従来より、スチームストリッピングによる脱溶媒が行われており、このスチームストリッピングは、脱溶媒タンクに通常その底部よりスチームを供給し、溶媒とスチームとを接触させることにより行われる。
しかし、１基の脱溶媒タンクに底部等からスチームを供給するスチームストリッピング法では、系内が平衡状態となり効率よく脱溶媒することができない傾向にある。また、気液混合器等を用いてポリマー溶液とスチームとを接触させ、脱溶媒する方法においても、同様に効率よく脱溶媒することが困難である。
本発明は、溶液重合法により生成するポリマー溶液から溶媒を効率よく除去するポリマー溶液の脱溶媒方法及びこの脱溶媒に用いる脱溶媒装置を提供することを目的とする。
【発明の開示】
脱溶媒タンク内が平衡状態になることによる脱溶媒効率の低下を抑えるため、脱溶媒タンク内の気相と液相とを異なる平衡状態にし、一つのタンク内を擬似的に多段にして脱溶媒することを試みた。具体的には、スチームの一部を配管に供給し、残部を脱溶媒タンクの底部から供給し、液相に含まれる気泡中の溶媒分圧を低下させることで、脱溶媒効率の向上を図った。この方法では、配管中で溶媒が気化し、脱溶媒タンクに投入された段階で溶媒とクラムをある程度分離することができ、更に底部からは別のスチームが供給されるため、液相における溶媒分圧が気相側より低くなり、更に脱溶媒される。結果、全体としてより効率よく脱溶媒が行われる。
本発明は、このような知見に基づきなされたものである。
本発明は以下のとおりである。
１．ポリマー溶液とスチームとを接触させてスチームストリッピングにより溶媒を除去する脱溶媒方法において、該スチームの一部を、該ポリマー溶液を脱溶媒タンクに移送する配管に供給する工程と、該スチームの残部を該脱溶媒タンク内に供給する工程と備えることを特徴とするポリマー溶液の脱溶媒方法。
２．上記配管に気液混合器が配設されており、上記スチームの一部を該気液混合器に供給する上記１．に記載のポリマー溶液の脱溶媒方法。
３．上記スチームの全量を１００質量％とした場合に、上記配管に供給されるスチーム量が１０〜９０質量％である上記１．に記載のポリマー溶液の脱溶媒方法。
４．上記ポリマー溶液に含有されるポリマーが、ブタジエンゴム、イソプレンゴム、スチレン・ブタジエンゴム、スチレン・イソプレンゴム、エチレン・α−オレフィン共重合ゴム、エチレン・α−オレフィン・非共役ジエン共重合ゴム、ブチルゴム、スチレン・ブタジエン・スチレンブロック共重合体、水素添加スチレン・ブタジエン・スチレンブロック共重合体、ブタジエン樹脂又はアクリル樹脂である上記１．に記載のポリマー溶液の脱溶媒方法。
５．上記溶媒が、シクロヘキサン、シクロペンタン、シクロヘプタン、トルエン、ベンゼン、キシレン、ｎ−ヘキサン、ｎ−ペンタン、イソペンタン、ｎ−ヘプタン、ｎ−オクタン、ｎ−デカン、ジクロロメタンの群から選択される少なくとも１種である上記１．に記載のポリマー溶液の脱溶媒方法。
６．圧力０．１ＭＰａにおける上記溶媒の沸点が２５〜１８０℃である上記１．に記載のポリマー溶液の脱溶媒方法。
７．上記脱溶媒タンクに上記ポリマー溶液を連続的に供給し、且つ該ポリマー溶液に含有されていたポリマーの回収を連続的に行う上記１．に記載のポリマー溶液の脱溶媒方法。
８．上記配管に供給されるスチーム量が、上記溶媒の蒸発に必要な理論量の０．５〜２倍である上記１．に記載のポリマー溶液の脱溶媒方法。
９．上記脱溶媒タンクは、下記（１）、（２）及び（３）の部材から選択される少なくとも１種を備えるものである上記１．に記載のポリマー溶液の脱溶媒方法。
（１）上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材。
（２）上記脱溶媒タンクの内部に配設され、ポリマーの付着を抑制するため、又は付着したポリマーを液相部に流下させるための温水を撒布する散水器。
（３）上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造。
１０．上記脱溶媒タンクは、下記（１）、（２）及び（３）の部材から選択される少なくとも１種を備えるものである上記２．に記載のポリマー溶液の脱溶媒方法。
（１）上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材。
（２）上記脱溶媒タンクの内部に配設され、ポリマーの付着を抑制するため、又は付着したポリマーを液相部に流下させるための温水を撒布する散水器。
（３）上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造。
１１．脱溶媒タンクと、一端側が該脱溶媒タンクに開口し、ポリマー溶液を該脱溶媒タンクに移送するためのポリマー溶液移送用配管と、該ポリマー溶液移送用配管に接続され、且つ該配管にスチームを供給する配管用スチーム供給配管と、一端側が該脱溶媒タンクに開口するタンク用スチーム供給配管とを備えることを特徴とする脱溶媒装置。
１２．上記ポリマー溶液移送用配管に配設された気液混合器、及び該ポリマー溶液移送用配管又は該気液混合器に接続され、且つ該気液混合器にスチームを供給する気液混合器用スチーム供給配管を備える上記１１．に記載の脱溶媒装置。
１３．上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材を備える上記１１．に記載の脱溶媒装置。
１４．上記分割部材は、上記脱溶媒タンクの内壁側から中心側に向かって下方に傾斜しているコーン型の形状を有し、且つ中心部にのみ開口を有する上記１３．に記載の脱溶媒装置。
１５．上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材を備える上記１２．に記載の脱溶媒装置。
１６．上記分割部材は、上記脱溶媒タンクの内壁側から中心側に向かって下方に傾斜しているコーン型の形状を有し、且つ中心部にのみ開口を有する上記１５．に記載の脱溶媒装置。
１７．上記脱溶媒タンクの内部に配設され、クラムの付着を抑制するため、又は付着したクラムを液相部に流下させるための温水を撒布する散水器を備える上記１１．に記載の脱溶媒装置。
１８．上記脱溶媒タンクの内部に配設され、クラムの付着を抑制するため、又は付着したクラムを液相部に流下させるための温水を撒布する散水器を備える上記１２．に記載の脱溶媒装置。
１９．上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造を備える上記１１．に記載の脱溶媒装置。
２０．上記フラッシュノズル構造が、先端側に分岐管が配設されたフラッシュノズルである上記１９．に記載の脱溶媒装置。
２１．上記フラッシュノズルの先端部に取り付けられ、且つ上記脱溶媒タンクの下方に向かって開口しているクラム飛散抑制部材を備える上記２０．に記載の脱溶媒装置。
２２．上記フラッシュノズル構造が、少なくとも上記脱溶媒タンクの下方に向かって開口している筒体と、上記ポリマー溶液移送用配管に連設され、且つ該筒体の内壁面近傍において該筒体の径方向に向かって開口しているフラッシュノズルとを備える上記１９．に記載の脱溶媒装置。
２３．上記フラッシュノズル構造が、上記ポリマー溶液移送用配管に連設され、且つ上記脱溶媒タンクの上下方向に螺旋状に形成された螺旋管に、該脱溶媒タンクの下方に向かって開口が設けられたものである上記１９．に記載の脱溶媒装置。
２４．上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造を備える上記１２．に記載の脱溶媒装置。
２５．上記フラッシュノズル構造が、先端側に分岐管が配設されたフラッシュノズルである上記２４．に記載の脱溶媒装置。
２６．上記フラッシュノズルの先端部に取り付けられ、且つ上記脱溶媒タンクの下方に向かって開口しているクラム飛散抑制部材を備える上記２５．に記載の脱溶媒装置。
２７．上記フラッシュノズル構造が、少なくとも上記脱溶媒タンクの下方に向かって開口している筒体と、上記ポリマー溶液移送用配管に連設され、且つ該筒体の内壁面近傍において該筒体の径方向に向かって開口しているフラッシュノズルとを備える上記２４．に記載の脱溶媒装置。
２８．上記フラッシュノズル構造が、上記ポリマー溶液移送用配管に連設され、且つ上記脱溶媒タンクの上下方向に螺旋状に形成された螺旋管に、該脱溶媒タンクの下方に向かって開口が設けられたものである上記２４．に記載の脱溶媒装置。
２９．上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への対流を抑制するための分割部材と、
上記脱溶媒タンクの内部に配設され、ポリマーの付着を抑制するため、又は付着したポリマーを液相部に流下させるための温水を撒布する散水器と、を備える上記１１．に記載の脱溶媒装置。
３０．上記ポリマー溶液移送用配管に連設されたフラッシュノズルが開口する位置より下方側に、上記脱溶媒タンクの気相部を上下に分割するように配設され、該フラッシュノズルから排出される溶媒蒸気の液相側への対流を抑制するための分割部材と、
上記脱溶媒タンクの内部に配設され、ポリマーの付着を抑制するため、又は付着したポリマーを液相部に流下させるための温水を撒布する散水器と、を備える上記１２．に記載の脱溶媒装置。
３１．上記脱溶媒タンクの内部に配設され、ポリマーの付着を抑制するため、又は付着したポリマーを液相部に流下させるための温水を撒布する散水器と、
上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造と、を備える上記１１．に記載の脱溶媒装置。
３２．上記脱溶媒タンクの内部に配設され、ポリマーの付着を抑制するため、又は付着したポリマーを液相部に流下させるための温水を撒布する散水器と、
上記ポリマー溶液移送用配管に連設されたフラッシュノズルから排出されるポリマー溶液のフラッシュ速度を低下させ、且つ溶媒蒸気の液相側への流下を抑制するためのフラッシュノズル構造と、を備える上記１２．に記載の脱溶媒装置。
【発明の効果】
本発明のポリマー溶液の脱溶媒方法によれば、ポリマー溶液から溶媒を効率よく除去することができる。
また、スチームの全量を１００質量％とした場合に、配管に供給されるスチームが１０〜９０質量％であるときは、溶媒をより効率よく除去することができる。
更に、ポリマー溶液に含有されるポリマーが、特定のものである場合は、より残留溶媒の少ないポリマーが得られる。
また、溶媒が特定のものである場合は、より容易に残留溶媒濃度を低下させることができる。
更に、溶媒の圧力０．１ＭＰａにおける沸点が特定の範囲内である場合は、スチームとの接触による脱溶媒をより効率よく行うことができる。
また、脱溶媒タンクへのポリマー溶液の供給、及びポリマー溶液からのポリマーの回収を連続的に行った場合は、残留溶媒の少ないポリマーを効率よく得ることができる。
更に、配管に供給するスチーム量が、溶媒の蒸発に必要な理論量の０．５〜２倍である場合は、より確実に脱溶媒することができる。
本発明の装置によれば、簡易な装置でありながら、ポリマー溶液から溶媒を効率よく除去することができる。
また、ポリマー溶液移送用配管に気液混合器が配設された場合は、より効率よく溶媒を除去することができる。
更に、分割部材、特に中心部にのみ開口を有する分割部材を配設した場合は、ポリマーから分離された溶媒が脱溶媒タンク内を下降し難く、より効率よく溶媒を除去することができる。
また、クラムの付着を抑制するため、又は付着したクラムを液相部に流下させるための温水を撒布する散水器を配設した場合は、脱溶媒タンクの内壁面等へのクラムの付着を十分に防止することができる。
更に、先端側に分岐管が配設されたフラッシュノズル、サイクロン型のフラッシュノズル、又は螺旋型のフラッシュノズル等の特定のフラッシュノズル構造を備える場合は、クラムを下方の液相部に向かってフラッシュし易く、脱溶媒タンクの内壁面へのクラムの付着を防止することができる。
また、フラッシュノズルの先端部にクラムの飛散を抑えるクラム飛散抑制部材が取り付けられた場合は、脱溶媒タンクの内壁面へのクラムの付着を更に効率よく防止することができる。
上記「ポリマー溶液」としては、溶液重合により生成するポリマーと溶媒とを含有する溶液を使用することができる。
このポリマーとしては、溶液重合により生成するポリマーであれば特に限定されないが、例えば、ブタジエンゴム、イソプレンゴム、スチレン・ブタジエンゴム等のスチレン・ブタジエン共重合体、スチレン・イソプレンゴム等のスチレン・イソプレン共重合体、エチレン・α−オレフィン共重合ゴム、エチレン・α−オレフィン・非共役ジエン共重合ゴム等のエチレン・α−オレフィン系共重合体、ブチルゴム、スチレン・ブタジエン・スチレンブロック共重合体、水素添加スチレン・ブタジエン・スチレンブロック共重合体、ブタジエン樹脂又はアクリル樹脂等が挙げられる。これらのうち好ましくはブタジエンゴム、スチレン・ブタジエンゴム、スチレン・ブタジエン・スチレンブロック共重合体、水素添加スチレン・ブタジエン・スチレンブロック共重合体が挙げられる。
尚、効率よく脱溶媒するためには、ポリマー溶液の温度は０〜１５０℃であり、特に３０〜１００℃であることが好ましい。
また、効率よく脱溶媒するためには、ポリマーの数平均分子量（Ｍｎ）が５，０００〜５，０００，０００、特に２０，０００〜１，０００，０００、更には５０，０００〜５００，０００であることが好ましい。
更に、溶媒の種類は特に限定されないが、溶液重合において一般に用いられるシクロヘキサン、シクロペンタン、シクロヘプタン等の脂環族炭化水素溶媒、トルエン、キシレン、ベンゼン等の芳香族炭化水素溶媒、ｎ−ヘキサン、ｎ−ペンタン、イソペンタン、ｎ−ヘプタン、ｎ−オクタン、ｎ−デカン等の脂肪族炭化水素溶媒、及びジクロロメタン等のハロゲン化炭化水素溶媒などが挙げられる。これらのうち好ましくはｎ−ヘキサン、ｎ−ヘプタン、シクロヘキサン及びトルエンが挙げられる。この溶媒は１種のみであってもよく、２種以上の溶媒を含む混合溶媒であってもよい。
この溶媒は、圧力０．１ＭＰａにおける沸点が２５〜１８０℃、特に６０〜１２０℃であることが好ましい。この範囲の沸点を有する溶媒であれば、脱溶媒時に水と容易に共沸し、より容易に十分な脱溶媒を行うことができる。
更に、脱溶媒に供する際のポリマー溶液の粘度は特に限定されないが、効率よく脱溶媒するためには、０．００１〜３００Ｐａ・秒、特に０．００５〜２００Ｐａ・秒、更には０．０１〜１００Ｐａ・秒であることが好ましい。
また、ポリマーの含有量も特に限定されないが、ポリマー溶液を１００質量％とした場合に、０．１〜８０質量％、特に１〜５０質量％、更には５〜３０質量％であることが好ましい。この含有量が過多であると配管等が閉塞することがあり、過少であるとポリマーを効率よく回収するという観点から好ましくない。
上記「スチーム」の一部はポリマー溶液を脱溶媒タンクに移送する配管に供給され、配管内で、スチームとポリマー溶液とが接触し、溶媒が気化し、ポリマー溶液が脱溶媒タンクの上部の気相部に投入された際、この気化した溶媒の一部がポリマーから分離され、脱溶媒される（このようにポリマー溶液がスチームと接触した後は、気・液・固混合物となるが、これもポリマー溶液という。また、ポリマー溶液移送用配管も、ポリマー溶液がスチームと接触した後は、気・液・固混合物が移送されることになるが、配管のこの部分もポリマー溶液移送用配管という。）。また、少量の溶媒が残留するポリマーは脱溶媒タンクの下部の液相部に落下し混入され、この液相部に供給されるスチームの残部によるスチームストリッピングにより更に脱溶媒される。このように、スチームを配管及び脱溶媒タンクの底部等に供給する方法により効率よく脱溶媒することができる。例えば、この脱溶媒により残留溶媒濃度を３質量％以下、特に２．５質量％以下、更には２質量％以下にまで効率よく低下させることができる。
尚、ポリマー溶液を脱溶媒タンクに移送する配管の構造は特に限定されないが、例えば、第１図のように、第２図にその外観を拡大して示す気液混合器２１をポリマー溶液移送用配管２に配設することができる。このようにポリマー溶液移送用配管２に気液混合器２１を配設した場合は、気液混合器２１内のポリマー溶液に、気液混合器用スチーム供給配管２１２からスチームを供給し、ポリマーとスチームとを十分に接触させることにより、ポリマーを数ｍｍ、特に４〜７ｍｍ程度の径のクラムにしてより効率よく脱溶媒することができ好ましい。
更に、配管内でスチームとポリマー溶液とが接触する前に、ポリマー溶液に温水を供給することも好ましい。このようにすると、その後のスチームとポリマー溶液との接触効率が向上し、より効率よく脱溶媒することができる。この温水を供給する位置は、スチームとポリマー溶液とが接触する前であれば特に限定されないが、例えば、第２８図のように、ポリマー溶液移送用配管２に温水供給源２２から温水供給用配管２２１を介してポンプ等の供給具（図示せず）により供給することができる。この供給位置はスチームとポリマー溶液とが接触する位置に近いほうがより好ましい。
配管に供給されるスチームの圧力及び温度は本発明の効果が損なわれない限り特に限定されないが、圧力はゲージ圧で０．１〜１０ＭＰａ、特に０．２〜２ＭＰａであることが好ましく、温度は１１０〜４２０℃、特に１４０〜３００℃であることが好ましい。
配管に供給されるスチーム量は、溶媒を蒸発させるのに必要な理論量の０．５〜２倍、特に０．７〜１．５倍、更には０．８〜１．２倍であることが好ましく、実質的に理論量（理論量の０．９〜１．１倍）であることがより好ましい。ここで、理論量とは溶媒を蒸発させるのに必要な熱量（全潜熱分と全顕熱分との合計）を有するスチーム量を意味する。配管に供給されるスチームによりポリマー溶液が配管から脱溶媒タンクに投入される際に溶媒が分離され易く、脱溶媒タンクにおけるスチームストリッピングによる脱溶媒と併せて、回収されるポリマーに残留する溶媒を十分に低減することができる。溶媒を蒸発（気化）させるのに必要なスチームの理論量は、溶媒の種類及び供給されるポリマー溶液の温度等によっても変化するが、通常、溶媒に対して質量比で０．２〜０．４である。例えば、シクロヘキサンの場合、この理論量は０．２５〜０．３２程度である。
また、スチームの全量を１００質量％とした場合に、配管に供給されるスチームは、溶媒の種類及び脱溶媒タンクの基数等にもよるが１０〜９０質量％とすることが好ましい。この配管に供給されるスチーム量は溶媒の蒸発に必要な理論量に近いことが好ましく、スチームの全量が溶媒１００質量部に対して１００質量部以上と多い場合は、配管に供給すべきスチーム量の割合は小さくなり、スチームの全量が少ない場合（１００質量部未満）は配管に供給すべきスチーム量の割合が大きくなる。具体的には、溶媒に対する全スチーム量が溶媒１００質量部に対して１００質量部以上と多い場合は、全スチーム量１００質量％のうちの１０〜５０質量％、特に１５〜４０質量％を配管に供給することが好ましい。一方、溶媒に対する全スチーム量が少ない（１００質量部未満）場合は、全スチーム量１００質量％のうちの２０〜９０質量％、特に３０〜８０質量％を配管に供給することが好ましい。
尚、配管又は気液混合器及び脱溶媒タンクに供給されるスチームの合計量は、溶媒の種類及び目標とする残留溶媒濃度等にもよるが、ポリマー溶液に含有される溶媒を１００質量部とした場合に、脱溶媒タンクが１基である場合は、５０〜２００質量部、特に６０〜１５０質量部であることが好ましい。スチームの合計量が５０質量部未満であるときは、十分に脱溶媒することができない傾向にある。また、２基以上（通常、３基以下）の脱溶媒タンクが連接され、各々の脱溶媒タンクでスチームストリッピングが行われる場合は、全スチーム量を減らすことができ、スチームの合計量は３０〜１００質量部、特に３０〜７０質量部とすることができる。スチームの合計量が３０質量部未満であるときは、十分に脱溶媒することができない傾向にある。
更に、ポリマー溶液移送用配管に温水を供給する場合、温水の供給量はポリマー及び溶媒の種類等により、特に限定されないが、ポリマー溶液に対して質量比で０．１〜２倍とすることができ、０．２〜１倍とすることが好ましい。この温水の温度もポリマー溶液の温度以上であれぱよく、特に限定されないが、通常、６０〜１１０℃、好ましくは７０〜１００℃である。
また、本発明のポリマー溶液の脱溶媒方法は、後述する分割部材、散水器、及び特定のフラッシュノズル構造のうちの少なくとも１種の部材を備える脱溶媒装置により実施することができる。更に、特定のフラッシュノズル構造には、後述するクラム飛散抑制部材を取り付けることもできる。また、分割部材、散水器、及び特定のフラッシュノズル構造のうちの少なくとも１種、並びにクラム飛散抑制部材の各々と、前記の温水供給とを組み合わせて用いることもできる。
更に、この脱溶媒方法においては脱溶媒タンクは１基のみで十分に効率よく脱溶媒することができるが、ポリマー溶液が投入される脱溶媒タンクに更に他の脱溶媒タンクを連接し、多段に脱溶媒することもできる。この場合、少量の溶媒を含有する溶媒含有ポリマーが投入される後段側のタンクの圧力を前段側のタンクの圧力より高くなるように圧力調整することによって、全体としてより効率よく脱溶媒することができる。
本発明の脱溶媒装置は、脱溶媒タンクと、一端側が脱溶媒タンクに開口し、ポリマー溶液を脱溶媒タンクに移送するためのポリマー溶液移送用配管と、このポリマー溶液移送用配管に接続され、且つこの配管にスチームを供給する配管用スチーム供給配管と、一端側が脱溶媒タンクに開口するタンク用スチーム供給配管とを備える。
また、ポリマー溶液移送用配管には、気液混合器を配設することができる。この気液混合器には、ポリマー溶液移送用配管に供給されたスチームが供給されるか、気液混合器に接続されたスチーム供給配管からスチームが供給される。気液混合器としては、スチームとポリマー溶液とを混合する機能を有するものであれば特に限定されないが、混合効率の高いほうが好ましい。
尚、上記の各々のスチーム供給配管は、それぞれ、スチーム源に接続されており、各々の配管にスチーム源からスチームを送出するためのポンプ等のスチーム供給具が配設されている。このスチームの送出、供給は、スチーム源とそれぞれのスチーム供給先との圧力差により行うこともできる。
更に、ポリマー溶液は、重合用タンク又はポリマー溶液を貯蔵する中間タンクから送出され、ポリマー溶液移送用配管内を移送される。重合タンク及び中間タンクには、通常、各々のタンク内を攪拌するための攪拌翼等の攪拌手段が配設されている。攪拌翼としては、従来から使用されているもの、例えば、ディスクタービン翼、傾斜パドル翼などを用いることができる。また、第３図のコーンケーブ型攪拌翼１３ａを好ましく使用することができる。このコーンケーブ型攪拌翼を用いた場合は、スチームの拡散が良好であり、ポリマーとスチームとの接触が十分になされ、より効率よく脱溶媒を行うことができ、脱溶媒に要するスチーム量を低減することもできる。
また、脱溶媒タンクには、第４図及び第５図のように、その気相部を上下に分割するように分割部材１０１を配設することができる。この分割部材は、通常、ポリマー溶液移送用配管に連設されたフラッシュノズルが開口する位置より下方側に設けられる。この場合、分割部材は、その全体がフラッシュノズルが開口する位置より下方にあってもよいし、フラッシュノズルの一部又は全体が、分割部材の上方側において上下方向で位置的に重なっていてもよい。更に、分割部材１０１は、少なくとも中心部に開口１０１１を有し、この開口からクラムが液相部へと落下する。一方、スチーム及び溶媒は、上記開口及び分割部材とタンクの内壁との間が開口しておれば、この開口からタンクの頂部へと上昇していく。分割部材１０１の形状は、クラムが液相部へと落下し易ければよく、特に限定されないが、脱溶媒タンク１の内壁側から中心側に向かって下方に傾斜しているコーン型等の形状であることが好ましい。この場合、傾斜角は特に限定されないが、脱溶媒タンク１の横断面に対して１０〜６０°、特に２０〜５０°であることが好ましい。
尚、上記の開口１０１１には攪拌翼のシャフトが挿通される。
この分割部材１０１は、中心部にのみ開口を有し、内壁側では開口していないことが好ましい。中心部にのみ開口を有しておれば、スチーム及び溶媒のタンク内における対流が抑えられ、スチームと溶媒とをタンクの上方部、特に頂部より効率よく回収することができる。この中心部にのみ開口を有する分割部材は、例えば、第６図及び第７図のように、コーン型等の分割部材の周縁とタンクの内壁との間に、円盤状の仕切板１０１２を配設すること等により形成することができる。
分割部材の材質は特に限定されず、金属、樹脂等により形成することができる。金属としては、ステンレス鋼、アルミニウム等を使用することができる。樹脂としては、フッ素樹脂、ポリアミド樹脂、ポリエステル樹脂等の、耐溶剤性に優れ、且つ脱溶媒時の温度において変形等を生じない耐熱性の高いものを用いることができる。フッ素樹脂としては、ポリテトラフルオロエチレン、フッ化エチレンポリプロピレン共重合体等が挙げられる。ポリアミド樹脂としては、ポリアミド６、ポリアミド６６等が挙げられる。ポリエステル樹脂としては、ポリエチレンテレフタレート、ポリエチレンナフタレート等が挙げられる。これらの樹脂のうちでは、耐溶剤性、耐熱性及び剥離性等に優れるフッ素樹脂が特に好ましい。
金属、樹脂等からなる分割部材は、そのままでも使用し得るが、クラムの付着を抑えるため、ポリマー付着防止性を有することが好ましい。このポリマー付着防止性は、金属等からなる分割部材の少なくとも上面にフッ素樹脂等の剥離性に優れる樹脂からなる層を形成することで付与することができる。また、分割部材をフッ素樹脂等の剥離性に優れる材料により形成することで、ポリマー付着防止性を有する分割部材とすることもできる。
更に、脱溶媒タンクの内部には、クラムの付着を抑制するため、又は付着したクラムを液相部に流下させるための温水を撒布する散水器を配設することもできる。この散水器は、通常、脱溶媒タンクの気相部において、フラッシュノズルが開口する位置より上方側に配設され、脱溶媒タンクの下方（真下でもよく、斜め下方でもよい。斜め下方である場合、タンクの内壁面に向けて斜めでもよいし、タンクの内方に向けて斜めでもよい。）に向かって温水が撒布される。この散水器より撒布される温水により、クラムを液相部に向かって確実に落下させることができ、且つタンク内壁面及び分割部材上面等に付着したクラムを液相部へと流下させることができる。温水は、脱溶媒タンクの横断面において均等に撒布されることが好ましく、散水器は、そのような撒布が可能な構造とすることが好ましい。この温水の温度は特に限定されないが、脱溶媒タンク内の温度［Ｔｔ（℃）］以上とすることが好ましく、特にＴｔ〜（Ｔｔ＋５）℃、更にはＴｔ〜（Ｔｔ＋１０）℃とすることがより好ましい。
この散水器は、温水供給口の側からタンク内へ突設され、脱溶媒タンクの下方に向かってスリット（散水器の全長に渡って連続したスリットでもよいし、特定の長さの複数のスリットが設けられていてもよい。）、孔（形状は限定されず、円形、楕円形、多角形等のいずれでもよい。）等が開口していればよく、その平面形状は特に限定されない。この散水器は、タンクの内壁面の全周に渡って温水を均等に撒布し得るものであることが好ましく、例えば、第８図及び第９図のように、温水供給口の側からタンク内へ突設されたリング状の散水器１０２に散水口が形成されたものが挙げられる。また、第１０図及び第１１図のように、温水供給口の側からタンク内へ半円弧状（両先端部は閉止されている。）に突設された散水器１０２に散水口が形成されたものが挙げられる。この散水器は、温水供給口の側からタンク内へ突設され、温水供給口の側と対向する側において一部が欠けているＣ字形状（両先端部は閉止されている。）であってもよい。散水口の構造は上記のように特に限定されないが、散水器の下方（真下でもよく、斜め下方でもよい。斜め下方である場合、タンクの内壁面に向けて斜めでもよいし、タンクの内方に向けて斜めでもよい。）に温水を撒布し得るように設けられたスリットとすることが好ましい。この散水口は、周方向に適宜の間隔で設けられた複数個の孔であってもよい。更に、この散水器１０２は、第１２図及び第１３図のように、仕切板１０１２が配設された分割部材１０１と併設した場合に特に有用であり、このように併設することにより、分割部材１０１の上面へのクラムの付着が十分に抑えられる。
また、クラムの液相部への落下は、ポリマー溶液移送用配管に連設されたフラッシュノズルから排出されるポリマー溶液のフラッシュ速度を低下させるための特定のフラッシュノズル構造によっても促進することができる。更に、この特定のフラッシュノズル構造によって、溶媒蒸気の液相側への流下を抑制することもできる。
このフラッシュノズル構造としては、例えば、先端側に分岐管が設けられたフラッシュノズルが挙げられる。この分岐管としては、第１４図のようなフラッシュノズルの先端部における逆Ｙ字管２０１、第１５図のようなフラッシュノズルの先端部における逆Ｔ字管２０２等の分岐管が挙げられる。この逆Ｔ字管の場合は、（１）横管（左右は閉止されている。）の両側部に脱溶媒タンクの下方に向かってスリット２０２１、孔等が開口している構造でもよいし、（２）横管の左右の端部付近に下方に向かって縦管が連設された構造（トーナメント構造）でもよい。これらのフラッシュノズル構造では、分岐部においてポリマー溶液が管壁に衝突することにより、また、フラッシュ口の径を管径より径大とすることによりフラッシュ速度が抑制され、且つフラッシュされるポリマー溶液の飛散も抑えられる。
フラッシュノズル構造の他の例としては、第１６図及び第１７図のように、少なくとも脱溶媒タンクの下方に向かって開口している筒体２０３と、ポリマー溶液移送用配管に連設され、且つ筒体の内壁面近傍２０３１において筒体の径方向に開口しているフラッシュノズル２０４とを備えるものが挙げられる。このサイクロン型のフラッシュノズル構造であれば、フラッシュされたクラムは、筒体の内壁面を螺旋を描いて下降していくことになり、フラッシュ速度が抑制されるとともに、クラムをより確実に液相部に落下させることができる。
フラッシュノズルは筒体の内壁面に接して設けられていてもよいし、クラムが筒体の内壁面を螺旋を描いて下降していくことができる範囲内で、内壁面から離れた位置に開口していてもよい。
フラッシュノズル構造の他の例としては、第１８図及び第１９図のように、脱溶媒タンク１の上下方向に螺旋状に形成された螺旋管２０５に、脱溶媒タンクの下方に向かって開口が設けられたものも挙げられる。この螺旋型のフラッシュノズルの場合も、開口はスリットでもよいし、周方向に適宜の間隔で設けられた複数個の孔であってもよい。
また、更に他のフラッシュノズル構造の例としては、第２０図及び第２１図のように、フラッシュノズルの先端部に設けられた大径管２０６の内部に配設された邪魔板２０６１が挙げられる。このフラッシュノズル構造では、ポリマー溶液は邪魔板に衝突することにより、また、先端部が大径管となっていることによりフラッシュ速度が抑制され、且つクラムの飛散も抑えられる。また、邪魔板は大径管の内部に配設されているため、この大径管によりクラムの飛散がより抑えられ、大径管の長さ及び開口径並びに邪魔板の上下方向における位置を調整することにより、飛散したクラムがタンクの内壁に付着することなく、全量を液相部に落下させることができる。この大径管は全長に渡って径が一定でもよく、下方に向かって拡径していてもよい。拡径している場合は、その拡がり角度によってもクラムの飛散を調整することができる。
更に、他のフラッシュノズル構造の例としては、フラッシュノズルの先端部に設けられ、曲管部を有する曲管（後記の第２５図参照）が挙げられる。このフラッシュノズル構造では、曲管部においてポリマー溶液が管壁に衝突することにより、また、先端部を径大とすることによりフラッシュ速度が抑制され、且つフラッシュされるポリマー溶液の飛散も抑えられる。
上記の各種のフラッシュノズル構造は、更にクラム飛散抑制部材が取り付けられた構造とすることができる。このクラム飛散抑制部材はフラッシュノズル構造を挟むように、又は囲むように設けられ、脱溶媒タンクの下方に向かって開口している。これにより、クラムの飛散がより抑えられ、タンク内壁面へのクラムの付着が十分に抑制される。
このクラム飛散抑制部材としては、フラッシュノズル構造が分岐管である場合、この分岐管部を囲むように、且つ下方に向かって開口しているスカート部材が挙げられる。このスカート部材の対向する壁面間の距離は一定でもよいが、脱溶媒タンクの下方に向かって適宜の角度で拡がっているスカート部材がより好ましい。この拡がりの角度は特に限定されないが、フラッシュノズルから液相部までの距離、及び脱溶媒タンクの直径等を勘案し、飛散したクラムがタンクの内壁面に付着することなく液相部に落下し得る角度とすることがより好ましい。
また、他のクラム飛散抑制部材の例としては、分岐部を両側から挟むように互いに対向して設けられ、且つ下方に向かって開口している少なくとも一対の板状体が挙げられる。それぞれ対をなす板状体の間隔は等間隔でもよいが、脱溶媒タンクの下方に向かって適宜の角度で拡がっていることが好ましい。この拡がりの角度は特に限定されないが、フラッシュノズルから液相部までの距離、及び脱溶媒タンクの直径等を勘案し、飛散したクラムがタンクの内壁面に付着することなく液相部に落下し得る角度とすることがより好ましい。
このようなクラム飛散抑制部材がフラッシュノズル構造に併設された具体例としては、第２２図及び第２３図のように、フラッシュノズルの先端側に設けられた逆Ｔ字管２０２に、スカート部材３０１が脱溶媒タンクの下方に向かって開口するように取り付けられたものが挙げられる。このスカート部材によりクラムの飛散が抑制され、拡がり角度を調整することにより、飛散したクラムがタンクの内壁面に付着することなく、ほぼ全量を液相部に落下させることができる。
更に、他のクラム飛散抑制部材の具体例としては、第２４図のように、分岐管を有する逆Ｔ字管２０２の各々の分枝管の先端に取り付けられた、それぞれの分枝管より大径の大径管３０２が挙げられる。この大径管によりクラムの飛散が抑制され、大径管の長さと開口径とを調整することにより、飛散したクラムが脱溶媒タンクの内壁面に付着することなく、ほぼ全量を液相部に落下させることができる。この大径管は全長に渡って径が一定でもよく、下方に向かって拡径していてもよい。拡径している場合は、その拡がり角度によってもクラムの飛散を調整することができる。
また、クラム飛倣抑制部材の他の例としては、第２５図のように、フラッシュノズル構造が曲管２０７である場合に、その先端に取り付けられた、曲管より大径の大径管２０７１が挙げられる。この大径管により、クラムの飛散が抑制され、大径管の長さ及び開口径を調整することにより、飛散したクラムが脱溶媒タンクの内壁面に付着することなく、ほぼ全量を液相部に落下させることができる。尚、この大径管は全長に渡って径が一定でもよく、下方に向かって拡径していてもよい。拡径している場合は、その拡がり角度によってもクラムの飛散を調整することができる。尚、第２５図では、ほぼ直角に曲がった２個所の曲管部を有する曲管を図示したが、必ずしも直角である必要はなく、フラッシュ速度をどの程度抑制するかによって適宜の角度とすることができる。更に、２個所の曲管部の角度は同じでもよく、異なっていてもよい。
更に、クラム飛散抑制部材の他の例としては、第２６図及び第２７図のように、フラッシュノズルを、ポリマー溶液移送用配管の先端部に設けられた大径のフラッシュ管３０３により形成することもできる。このフラッシュノズルでは、大径のフラッシュ管の長さ及び開口径を調整することにより、飛散したクラムが脱溶媒タンクの内壁に付着することなく、全量を液相部に落下させることができる。このフラッシュ管は全長に渡って径が一定でもよく、下方に向かって拡径していてもよい。拡径している場合は、その拡がり角度によってもクラムの飛散を調整することができる。
本発明の脱溶媒装置は、上記に示される各種の構成部材、［１］気液混合器、［２］分割部材、［３］散水器、及び［４］フラッシュノズル構造（クラム飛散抑制部材の有無は問わない。）のすべての組み合わせを用いることができる。例えば、（１）気液混合器を有さず、分割部材、散水器又は特定のフラッシュノズル構造が配設された脱溶媒装置、（２）気液混合器を有さず、分割部材、散水器及び特定のフラッシュノズル構造のうちのいずれか２種が併設された脱溶媒装置、（３）気液混合器を有さず、分割部材、散水器及び特定のフラッシュノズル構造が併設された脱溶媒装置、とすることができる。また、（４）気液混合器を有し、分割部材、散水器又は特定のフラッシュノズル構造が配設された脱溶媒装置、（５）気液混合器を有し、分割部材、散水器及び特定のフラッシュノズル構造のうちのいずれか２種が併設された脱溶媒装置、（６）気液混合器を有し、分割部材、散水器及び特定のフラッシュノズル構造が併設された脱溶媒装置、とすることができる。この（１）、（２）、（３）、（４）、（５）及び（６）の各々の場合において、特定のフラッシュノズル構造は、前記の、逆Ｙ字型、逆Ｔ字型等の分岐管、サイクロン型のフラッシュノズル、螺旋型のフラッシュノズル、フラッシュノズルの先端部に設けられた大径管の内部に邪魔板が配設されたフラッシュノズル、及び先端部に曲管部を有する曲管からなるフラッシュノズルのいずれであってもよい。更に、特定のフラッシュノズル構造が配設された場合、このフラッシュノズル構造にクラム飛散抑制部材を取り付けることもできる。このクラム飛散抑制部材は、前記のスカート部材、及び各種の大径管のうちのいずれでもよく、フラッシュノズル構造の構成により適宜のものを取り付けることができる。
また、本発明の脱溶媒装置では、ポリマー溶液移送用配管に温水供給源から温水供給用配管を介してポンプ等の温水供給具（図示せず）により温水を供給する手段を用いることができる。更に、この温水供給手段は、上記に示される各種の構成部材、［１］気液混合器、［２］分割部材、［３］散水器、及び［４］フラッシュノズル構造（クラム飛散抑制部材の有無は問わない。）のすべての組み合わせに、更に組み合わせて用いることができる。この場合、温水供給手段は気液混合器と組み合わせて用いることが好ましい。また、この温水供給手段は、例えば、上記の（１）、（２）、（３）、（４）、（５）及び（６）のそれぞれに、組み合わせて用いることもできる。尚、温水供給位置、温水の供給量、温水のポリマー溶液に対する質量比、温水の温度については前記の記載をそのまま適用することができる。
以下、ポリマー溶液の脱溶媒に用いる本発明の脱溶媒装置及び脱溶媒方法の一例を、一連のシステムとして記載した第１図を用いて説明する。
ポリマータンク４は、重合槽又はポリマー溶液を貯蔵する中間タンクであり、通常、ポリマータンク用攪拌翼４１（４２はモーターである。）を備える。ポリマー溶液は、ポリマータンク４からポンプ５により送出され、流量計６により計量され、所定量のポリマー溶液がポリマー溶液移送用配管２内を移送される。このポンプとしては、定量ポンプが使用される。この定量ポンプとしては、例えば、ギアポンプ、ダイアフラムポンプ、プランジャーポンプ等が挙げられる。
尚、ポリマー溶液移送用配管２には、図２８に拡大して示すようにスチームとポリマー溶液とをより効率よく接触させ、脱溶媒の効率を更に向上させるため温水供給用配管２２１により温水を供給することができる。
その後、ポリマー溶液は、第２図のような、気液混合器２１に供給され、気液混合器２１の内部において、気液混合器用スチーム源２１１から気液混合器用スチーム供給配管２１２を介して供給されるスチームとポリマー溶液とが十分に接触して溶媒が気化し、ポリマーはクラム状となり、脱溶媒タンク１の気相部に投入された際に、気化した溶媒がポリマーから分離される。次いで、クラムは脱溶媒タンク１の液相部に落下し混入され、この液相部は脱溶媒タンク用攪拌翼１３（１４はモーターである。）により攪拌され、且つ脱溶媒タンク用スチーム源１１から供給されるスチームによるスチームストリッピングにより更に脱溶媒され、脱溶媒されたポリマーが脱溶媒タンク１から抜き取られ、回収ポリマー移送用配管３内を移送され、回収される。また、脱溶媒タンク１の頂部からはポリマー溶液から除去された溶媒が溶媒回収用配管１５を介して回収され、冷却器７により冷却されて液化した後、デカンター８に移送される。このデカンター８内で溶媒と固形分とが分離され、溶媒は精製された後、回収される。
また、脱溶媒タンク１内の液相部へのスチームは、脱溶媒タンク１の底部から供給しても、側部から供給してもよい。更に、脱溶媒タンク用スチーム供給配管１２の脱溶媒タンク１における開口部は、配管がそのまま開口する単純なものであってもよいが、スチームがより高速で供給される構造とすることもできる。例えば、配管の径に比べて小さい径を有する多数の孔が、特に環状に配設され、開口している構造であってもよい。また、配管に比べて小さい径を有する複数の細管が、特に脱溶媒タンク１の周方向において同一方向に開口している構造であってもよい。
【図面の簡単な説明】  第１図は、脱溶媒の評価に用いた装置の模式図である。
第２図は、気液混合器の一例を示す平面図である。
第３図は、脱溶媒タンクに配設されたコーンケーブ型攪拌翼の斜視図である。
第４図は、気相部を上下に分割するように分割部材が配設された脱溶媒タンクの縦断面を示す説明図である。
第５図は、気相部を上下に分割するように分割部材が配設された脱溶媒タンクの横断面を示す説明図である。
第６図は、第４図及び第５図の分割部材において更に仕切板が設けられている脱溶媒タンクの縦断面を示す説明図である。
第７図は、第４図及び第５図の分割部材において更に仕切板が設けられている脱溶媒タンクの横断面を示す説明図である。
第８図は、温水供給口の側から脱溶媒タンク内へ突設されたリング状の散水器の縦断面を示す説明図である。
第９図は、温水供給口の側から脱溶媒タンク内へ突設されたリング状の散水器の横断面を示す説明図である。
第１０図は、温水供給口の側から脱溶媒タンク内へ突設された半円弧状の散水器の縦断面を示す説明図である。
第１１図は、温水供給口の側から脱溶媒タンク内へ突設された半円弧状の散水器の横断面を示す説明図である。
第１２図は、図６及び第７図の脱溶媒タンクにおいて、更に散水器が併設された脱溶媒タンクの縦断面を示す説明図である。
第１３図は、図６及び第７図の脱溶媒タンクにおいて、更に散水器が併設された脱溶媒タンクの横断面を示す説明図である。
第１４図は、特定のフラッシュノズル構造である逆Ｙ字管を示す説明図である。
第１５図は、特定のフラッシュノズル構造である逆Ｔ字管を示す説明図である。
第１６図は、サイクロン型のフラッシュノズル構造が配設された脱溶媒タンクの縦断面を示す説明図である。
第１７図は、サイクロン型のフラッシュノズル構造が配設された脱溶媒タンクの横断面を示す説明図である。
第１８図は、螺旋型のフラッシュノズル構造を備える脱溶媒タンクの縦断面を示す説明図である。
第１９図は、螺旋型のフラッシュノズル構造を備える脱溶媒タンクの横断面を示す説明図である。
第２０図は、先端部に設けられた大径管の内部に邪魔板が配設された構造のフラッシュノズル構造の縦断面を示す説明図である。
第２１図は、先端部に設けられた大径管の内部に邪魔板が配設された構造のフラッシュノズル構造の横断面を示す説明図である。
第２２図は、特定のフラッシュノズル構造であるＴ字管に、下方に向かって設けられた開口を挟むように、クラム飛散抑制部材であるスカート部材が取り付けられた構造を正面からみた説明図である。
第２３図は、特定のフラッシュノズル構造であるＴ字管に、下方に向かって設けられた開口を挟むように、クラム飛散抑制部材であるスカート部材が取り付けられた構造を横方向からみた説明図である。
第２４図は、特定のフラッシュノズル構造である逆Ｔ字管の各々の分岐管に、クラム飛散抑制部材である大径管が取り付けられた構造を示す説明図である。
第２５図は、特定のフラッシュノズル構造である曲管の先端に、クラム飛散抑制部材である大径管が取り付けられた構造を示す斜視図である。
第２６図は、先端部に大径のフラッシュ管が設けられたフラッシュノズルを備える脱溶媒タンクの縦断面を示す説明図である。
第２７図は、先端部に大径のフラッシュ管が設けられたフラッシュノズルを備える脱溶媒タンクの横断面を示す説明図である。
第２８図は、温水供給源及び温水供給用配管を拡大して示す説明図である。
第２９図は、気液混合器に供給されたスチーム量と、残留溶媒濃度との相関を表すグラフである。
【発明を実施するための最良の形態】［１］溶媒に対する全スチーム量及び気液混合器と脱溶媒タンクの各々に供給されるスチーム量の割合を変化させた場合の残留溶媒濃度の検討
実験例１（実施例１〜４及び比較例１〜２）
反応溶媒として９０質量％のシロクヘキサンと１０質量％のｎ−ヘプタンとからなる混合溶媒を使用し、重合開始剤としてｎ−ブチルリチウムを用いてスチレンとブタジエンとを共重合させて得られたスチレン・ブタジエン共重合体（スチレン含量；１０質量％）を２０質量％含有するポリマー溶液（温度６０℃）を第１図に示す装置により脱溶媒した。即ち、ポリマータンク４（ステンレス銅製、内容積３ｍ３）内のスチレン・ブタジエン共重合体溶液を攪拌しつつポンプ５（プランジャーポンプ）により送出し、ポリマー溶液移送用配管２内を移送して、気液混合器としてポリマー溶液移送用配管２に内設されたラインミキサー２１に１３０リットル／時間の速度で供給した。また、気液混合器２１には同時にスチーム源２１１よりスチーム［圧力（ゲージ圧）１．２ＭＰａ、温度２２０℃（以下、スチームの圧力、温度ともに同じ）］を供給し溶媒を気化させた。その後、このポリマー溶液をポリマー溶液移送用配管２により脱溶媒タンク１（ステンレス鋼製、内容積２ｍ３）の気相部に投入して脱溶媒し、同時に脱溶媒タンク１の底部より、脱溶媒タンク用スチーム源１１からのスチームを脱溶媒タンク用スチーム供給配管１２により供給し、スチームストリッピングにより更に脱溶媒した。尚、ポリマー溶液移送用配管２の先端側のフラッシュノズルは、ポリマー溶液移送用配管２そのままの直管形状である。
スチームは、ポリマー溶液に含有される溶媒を１００質量部とした場合に、気液混合器への供給量と脱溶媒タンクへの供給量との合計が１００質量部となるようにし、且つそれぞれの供給量を表１のように変量した。尚、この実験例において溶媒量に対するスチームの合計量の理論量は０．２７である。
尚、脱溶媒タンク内の圧力はゲージ圧で０．０４ＭＰａとした。
実験例２（実施例５〜６及び比較例３〜４）
ポリマー溶液に含有される溶媒を１００質量部とした場合に、気液混合器に供給されるスチーム量と脱溶媒タンクに供給されるスチーム量との合計が１５０質量部となるようにし、且つそれぞれの供給量を表１のように変量した他は実験例１と同様にして脱溶媒した。
実験例３（実施例７〜９及び比較例５〜６）
反応溶媒として９０質量％のシロクヘキサンと１０質量％のｎ−ヘプタンとからなる混合溶媒を使用し、重合開始剤としてｎ−ブチルリチウムを用いてスチレンとブタジエンとを共重合させて得られたスチレン・ブタジエンゴム（スチレン含量；３５質量％）を１５質量％含有するポリマー溶液（温度６０℃）を使用し、ポリマー溶液に含有される溶媒を１００質量部とした場合に、気液混合器に供給されるスチーム量と脱溶媒タンクに供給されるスチーム量との合計が７０質量部となるようにし、且つそれぞれの供給量を表１のように変量した他は実験例１と同様にして脱溶媒した。
尚、これら実験例１〜３において、脱溶媒後のポリマーの残留溶媒濃度とは乾燥ポリマー中の溶媒濃度のことであり、ガスクロマトグラフィー（ＦＩＤを備える装置）により求めた。
以上、実験例１〜３の結果を表１に併記する。
スチーム供給量の欄の括弧内の数値は、スチームの全量を１００質量％とした場合の、気液混合器及び脱溶媒タンクの各々に供給されるスチーム量の割合（単位；質量％）である。
2004007567.tif 000003
表１の結果によれば、実験例１の実施例１〜４では、残留溶媒濃度は１．７〜２．４質量％であり、比較例１の２．９質量％及び比較例２の３．７質量％に比べて優れている。また、実験例２の実施例５〜６では、残留溶媒濃度は１．２〜１．４質量％であり、比較例３の１．６質量％及び比較例４の１．５質量％に比べて優れている。更に、実験例３の実施例７〜９では、残留溶媒濃度は１．７〜３．０質量％であり、比較例５の３．２質量％及び比較例６の３．９質量％に比べて優れている。特に、実験例２のように溶媒に対する全スチーム量を１５０質量部と多量のスチームを供給した場合は、残留溶媒濃度がより低くなることが分かる。
また、実験例２における気液混合器へのスチーム量／全スチーム量（Ｓｆ／Ｓｔ）を変化させた場合の、残留溶媒濃度を表す第２９図によれば、Ｓｆ／Ｓｔが０．３のときに残留溶媒濃度が最も低くなる。この０．３、即ち、３０質量部のスチームは溶媒の蒸発に必要な理論量に近似の供給量であり、Ｓｆ／Ｓｔがこれより大きくなっても小さくなっても残留溶媒濃度が高くなっていることが分かる
［２］脱溶媒タンクの内部の構造の相違による残留溶媒濃度の検討
溶媒に対する全スチーム量を１００質量部とし、気液混合器に供給されるスチーム量を３０質量％、脱溶媒タンクに供給されるスチーム量を７０質量％とした他は実験例３と同様とし、以下のように脱溶媒タンクの内部の構造を変化させて脱溶媒した。
【実施例１０】  ポリマー溶液移送用配管の端部をそのままノズルをとした直管型のフラッシュノズルを用いてポリマー溶液をフラッシュし、脱溶媒した。
【実施例１１】  脱溶媒タンクの上下方向に螺旋状に形成された螺旋管に、そのほぼ全長さに渡って中心部に向かって斜め下方に向かってスリットが設けられた螺旋型のフラッシュノズル構造（第１８図及び第１９図参照）を用いてポリマー溶液をフラッシュし、脱溶媒した。
【実施例１２】  ポリマー溶液移送用配管の先端部に大径のフラッシュ管が設けられたフラッシュノズル（第２６図及び第２７図参照）を用いてポリマー溶液をフラッシュし、脱溶媒した。
【実施例１３】  脱溶媒タンクの気相部を上下に分割するように配設され、脱溶媒タンクの内壁側から中心側に向かって下方に傾斜（傾斜角；４５°）しているコーン型の分割部材（第４図及び第５図参照）を備え、且つこの分割部材の上部にフラッシュノズルを設置した装置を用いてポリマー溶液をフラッシュし、脱溶媒した。
【実施例１４】  実施例１３で用いた、コーン型の分割部材の周縁とタンクの内壁との間に、円盤状の仕切板を配設し、分割部材の中心部のみを開口させ、且つこの分割部材の上部にフラッシュノズルを設置した装置（第６図及び第７図参照）を用いてポリマー溶液をフラッシュし、脱溶媒した。
【実施例１５】  実施例１４で用いた、円盤状の仕切板が配設された分割部材と、この分割部材の上部に設置されたフラッシュノズルとを備え、更にフラッシュノズル上部に散水器が取り付けられた装置（第１２図及び第１３図参照）を使用し、脱溶媒タンクと同温度の温水を４００リットル／時間の流量で散水して脱溶媒した。
【実施例１６】  脱溶媒タンクの下方に向かって開口している筒体と、ポリマー溶液移送用配管に連設され、且つ筒体の内壁面において筒体の径方向に開口しているフラッシュノズルとを有するサイクロン型のフラッシュノズル構造を備える装置（第１６図及び第１７図参照）を用いてポリマー溶液をフラッシュし、脱溶媒した。
以上、実施例１０〜１６の結果を表２に記載する。また、分割部材の上面へのポリマーの付着状況を目視により観察した結果を表２に併記する。このポリマーの付着状況は下記の２段階で評価した。
○；分割部材の上面にポリマーが薄層となって堆積していた。
△；分割部材の上面に厚いポリマーが層が形成されていた。
2004007567.tif 000004
表２の結果によれば、フラッシュノズルの形状を変化させた実施例１１〜１２では、残留溶媒濃度は１．３〜１．５質量％と低く、フラッシュノズル形状を変化させていない実施例１０に比べて優れていることが分かる。また、コーン型の分割部材を配設した実施例１３では、残留溶媒濃度は１．１質量％と低くより優れている。更に、分割部材を配設し、加えて仕切板を併設した実施例１４、１５では残留溶媒濃度は０．４質量％と極めて低く特に優れていることが分かる。また、サイクロン型のフラッシュノズル構造を備える装置を用いた実施例１６でも、残留溶媒濃度は０．７質量％と大きく低下しており優れている。一方、ポリマーの付着状況においては、分割部材と散水器とを併設した実施例１５の場合、ポリマーの堆積は少なく優れていることが分かる。また、実施例１４と１５とでは残留溶媒濃度は同じであるが、ポリマーの付着状況においては、仕切板が配設されたコーン型の分割部材に、更に散水器を併設した実施例１５のほうが優れており、散水器の効果が裏付けられている。
【図１】
2004007567.tif 000005
【図２】
2004007567.tif 000006
【図３】
2004007567.tif 000007
【図４】
2004007567.tif 000008
【図５】
2004007567.tif 000009
【図６】
2004007567.tif 000010
【図７】
2004007567.tif 000011
【図８】
2004007567.tif 000012
【図９】
2004007567.tif 000013
【図１０】
2004007567.tif 000014
【図１１】
2004007567.tif 000015
【図１２】
2004007567.tif 000016
【図１３】
2004007567.tif 000017
【図１４】
2004007567.tif 000018
【図１５】
2004007567.tif 000019
【図１６】
2004007567.tif 000020
【図１７】
2004007567.tif 000021
【図１８】
2004007567.tif 000022
【図１９】
2004007567.tif 000023
【図２０】
2004007567.tif 000024
【図２１】
2004007567.tif 000025
【図２２】
2004007567.tif 000026
【図２３】
2004007567.tif 000027
【図２４】
2004007567.tif 000028
【図２５】
2004007567.tif 000029
【図２６】
2004007567.tif 000030
【図２７】
2004007567.tif 000031
【図２８】
2004007567.tif 000032
【図２９】
2004007567.tif 000033
【手続補正書】
【提出日】平成16年7月6日(2004.7.6)
【手続補正００１】
【補正対象書類名】特許請求の範囲
【補正対象項目名】全文
【補正方法】変更
【補正の内容】
【書類名】特許請求の範囲
【請求項１】ポリマー溶液とスチームとを接触させてスチームストリッピングにより溶媒を除去する脱溶媒方法において、該スチームの一部を、該ポリマー溶液を脱溶媒タンクに移送する配管に供給する工程と、該スチームの残部を該脱溶媒タンク内に供給する工程とを備え、
該スチームの全量が該ポリマー溶液に含有される溶媒１００質量部に対して１００質量部以上であり、該スチームの全量を１００質量％とした場合に、該スチームの一部は１０〜５０質量％であることを特徴とするポリマー溶液の脱溶媒方法。
【請求項２】上記配管に気液混合器が配設されており、上記スチームの一部を該気液混合器に供給する請求項１に記載のポリマー溶液の脱溶媒方法。
【請求項３】削除
【請求項４】削除
【請求項５】削除
【請求項６】削除
【請求項７】削除
【請求項８】削除
【請求項９】ポリマー溶液とスチームとを接触させてスチームストリッピングにより溶媒を除去する脱溶媒方法において、該スチームの一部を、該ポリマー溶液を脱溶媒タンクに移送する配管に供給する工程と、該スチームの残部を該脱溶媒タンク内に供給する工程とを備え、
該脱溶媒タンクは、下記（１）、（２）及び（３）の部材から選択される少なくとも１種を備えるものであることを特徴とするポリマー溶液の脱溶媒方法。
（１）上記ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材。
（２）上記脱溶媒タンクの内部に配設され、ポリマーの付着を抑制するため、又は付着したポリマーを液相部に流下させるための温水を撒布する散水器。
（３）上記ポリマー溶液移送用配管に連設されたフラッシュノズルから排出されるポリマー溶液のフラッシュ速度を低下させ、且つ溶媒蒸気の液相側への流下を抑制するための下記（ａ）乃至（ｅ）のいずれかに記載のフラッシュノズル構造。
（ａ）先端側に分岐管が配設されたフラッシュノズルからなるフラッシュノズル構造。
（ｂ）少なくとも上記脱溶媒タンクの下方に向かって開口している筒体と、上記ポリマー溶液移送用配管に連設され、且つ該筒体の内壁面近傍において該筒体の径方向に向かって開口しているフラッシュノズルとを備えるフラッシュノズル構造。
（ｃ）上記ポリマー溶液移送用配管に連設され、且つ上記脱溶媒タンクの上下方向に螺旋状に形成された螺旋管に、該脱溶媒タンクの下方に向かって開口が設けられたフラッシュノズル構造。
（ｄ）先端部に大径管が設けられたフラッシュノズルと、該大径管の内部に配設された邪魔板とを備えるフラッシュノズル構造。
（ｅ）先端部に曲管部を有する曲管が設けられたフラッシュノズルからなるフラッシュノズル構造。
【請求項１０】上記配管に気液混合器が配設されており、上記スチームの一部を該気液混合器に供給する請求項９に記載のポリマー溶液の脱溶媒方法。
【請求項１１】削除
【請求項１２】削除
【請求項１３】脱溶媒タンクと、一端側が該脱溶媒タンクに開口し、ポリマー溶液を該脱溶媒タンクに移送するためのポリマー溶液移送用配管と、該ポリマー溶液移送用配管に接続され、且つ該配管にスチームを供給する配管用スチーム供給配管と、一端側が該脱溶媒タンクに開口するタンク用スチーム供給配管とを備え、
該ポリマー溶液移送用配管に連設されたフラッシュノズルが開口する位置より下方側に、該脱溶媒タンクの気相部を上下に分割するように配設され、該フラッシュノズルから排出される溶媒蒸気の液相側への流下を抑制するための分割部材を備えることを特徴とする脱溶媒装置。
【請求項１４】上記分割部材は、上記脱溶媒タンクの内壁側から中心側に向かって下方に傾斜しているコーン型の形状を有し、且つ中心部にのみ開口を有する請求項１３に記載の脱溶媒装置。
【請求項１５】上記ポリマー溶液移送用配管に配設された気液混合器、及び該ポリマー溶液移送用配管又は該気液混合器に接続され、且つ該気液混合器にスチームを供給する気液混合器用スチーム供給配管を備える請求項１３に記載の脱溶媒装置。
【請求項１６】上記分割部材は、上記脱溶媒タンクの内壁側から中心側に向かって下方に傾斜しているコーン型の形状を有し、且つ中心部にのみ開口を有する請求項１５に記載の脱溶媒装置。
【請求項１７】脱溶媒タンクと、一端側が該脱溶媒タンクに開口し、ポリマー溶液を該脱溶媒タンクに移送するためのポリマー溶液移送用配管と、該ポリマー溶液移送用配管に接続され、且つ該配管にスチームを供給する配管用スチーム供給配管と、一端側が該脱溶媒タンクに開口するタンク用スチーム供給配管とを備え、
該脱溶媒タンクの内部に配設され、クラムの付着を抑制するため、又は付着したクラムを液相部に流下させるための温水を撒布する散水器を備えることを特徴とする脱溶媒装置。
【請求項１８】上記ポリマー溶液移送用配管に配設された気液混合器、及び該ポリマー溶液移送用配管又は該気液混合器に接続され、且つ該気液混合器にスチームを供給する気液混合器用スチーム供給配管を備える請求項１７に記載の脱溶媒装置。
【請求項１９】脱溶媒タンクと、一端側が該脱溶媒タンクに開口し、ポリマー溶液を該脱溶媒タンクに移送するためのポリマー溶液移送用配管と、該ポリマー溶液移送用配管に接続され、且つ該配管にスチームを供給する配管用スチーム供給配管と、一端側が該脱溶媒タンクに開口するタンク用スチーム供給配管とを備え、
該ポリマー溶液移送用配管に連設されたフラッシュノズルから排出されるポリマー溶液のフラッシュ速度を低下させ、且つ溶媒蒸気の液相側への流下を抑制するための下記（ａ）乃至（ｅ）のいずれかに記載のフラッシュノズル構造を備えることを特徴とする脱溶媒装置。
（ａ）先端側に分岐管が配設されたフラッシュノズルからなるフラッシュノズル構造。
（ｂ）少なくとも上記脱溶媒タンクの下方に向かって開口している筒体と、上記ポリマー溶液移送用配管に連設され、且つ該筒体の内壁面近傍において該筒体の径方向に向かって開口しているフラッシュノズルとを備えるフラッシュノズル構造。
（ｃ）上記ポリマー溶液移送用配管に連設され、且つ上記脱溶媒タンクの上下方向に螺旋状に形成された螺旋管に、該脱溶媒タンクの下方に向かって開口が設けられたフラッシュノズル構造。
（ｄ）先端部に大径管が設けられたフラッシュノズルと、該大径管の内部に配設された邪魔板とを備えるフラッシュノズル構造。
（ｅ）先端部に曲管部を有する曲管が設けられたフラッシュノズルからなるフラッシュノズル構造。
【請求項２０】削除
【請求項２１】先端側に分岐管が配設された上記フラッシュノズルの先端部に取り付けられ、且つ上記脱溶媒タンクの下方に向かって開口しているクラム飛散抑制部材を備える請求項１９に記載の脱溶媒装置。
【請求項２２】削除
【請求項２３】削除
【請求項２４】上記ポリマー溶液移送用配管に配設された気液混合器、及び該ポリマー溶液移送用配管又は該気液混合器に接続され、且つ該気液混合器にスチームを供給する気液混合器用スチーム供給配管を備える請求項１９に記載の脱溶媒装置。
【請求項２５】削除
【請求項２６】先端側に分岐管が配設された上記フラッシュノズルの先端部に取り付けられ、且つ上記脱溶媒タンクの下方に向かって開口しているクラム飛散抑制部材を備える請求項２４に記載の脱溶媒装置。
【請求項２７】削除
【請求項２８】削除
【請求項２９】脱溶媒タンクと、一端側が該脱溶媒タンクに開口し、ポリマー溶液を該脱溶媒タンクに移送するためのポリマー溶液移送用配管と、該ポリマー溶液移送用配管に接続され、且つ該配管にスチームを供給する配管用スチーム供給配管と、一端側が該脱溶媒タンクに開口するタンク用スチーム供給配管とを備え、
該ポリマー溶液移送用配管に連設されたフラッシュノズルが開口する位置より下方側に、上記脱溶媒タンクの気相部を上下に分割するように配設され、該フラッシュノズルから排出される溶媒蒸気の液相側への対流を抑制するための分割部材と、
該脱溶媒タンクの内部に配設され、ポリマーの付着を抑制するため、又は付着したポリマーを液相部に流下させるための温水を撒布する散水器と、を備えることを特徴とする脱溶媒装置。
【請求項３０】上記ポリマー溶液移送用配管に配設された気液混合器、及び該ポリマー溶液移送用配管又は該気液混合器に接続され、且つ該気液混合器にスチームを供給する気液混合器用スチーム供給配管を備える請求項２９に記載の脱溶媒装置。
【請求項３１】脱溶媒タンクと、一端側が該脱溶媒タンクに開口し、ポリマー溶液を該脱溶媒タンクに移送するためのポリマー溶液移送用配管と、該ポリマー溶液移送用配管に接続され、且つ該配管にスチームを供給する配管用スチーム供給配管と、一端側が該脱溶媒タンクに開口するタンク用スチーム供給配管とを備え、
該脱溶媒タンクの内部に配設され、ポリマーの付着を抑制するため、又は付着したポリマーを液相部に流下させるための温水を撒布する散水器と、
該ポリマー溶液移送用配管に連設されたフラッシュノズルから排出されるポリマー溶液のフラッシュ速度を低下させ、且つ溶媒蒸気の液相側への流下を抑制するための下記（ａ）乃至（ｅ）のいずれかに記載のスラッシュノズル構造と、を備えることを特徴とする脱溶媒装置。
（ａ）先端側に分岐管が配設されたフラッシュノズルからなるフラッシュノズル構造。
（ｂ）少なくとも上記脱溶媒タンクの下方に向かって開口している筒体と、上記ポリマー溶液移送用配管に連設され、且つ該筒体の内壁面近傍において該筒体の径方向に向かって開口しているフラッシュノズルとを備えるフラッシュノズル構造。
（ｃ）上記ポリマー溶液移送用配管に連設され、且つ上記脱溶媒タンクの上下方向に螺旋状に形成された螺旋管に、該脱溶媒タンクの下方に向かって開口が設けられたフラッシュノズル構造。
（ｄ）先端部に大径管が設けられたフラッシュノズルと、該大径管の内部に配設された邪魔板とを備えるフラッシュノズル構造。
（ｅ）先端部に曲管部を有する曲管が設けられたフラッシュノズルからなるフラッシュノズル構造。
【請求項３２】上記ポリマー溶液移送用配管に配設された気液混合器、及び該ポリマー溶液移送用配管又は該気液混合器に接続され、且つ該気液混合器にスチームを供給する気液混合器用スチーム供給配管を備える請求項３１に記載の脱溶媒装置。
【請求項３３】ポリマー溶液とスチームとを接触させてスチームストリッピングにより溶媒を除去する脱溶媒方法において、該スチームの一部を、該ポリマー溶液を脱溶媒タンクに移送する配管に供給する工程と、該スチームの残部を該脱溶媒タンク内に供給する工程とを備え、
該スチームの全量が該ポリマー溶液に含有される溶媒１００質量部に対して１００質量部未満であり、該スチームの全量を１００質量％とした場合に、該スチームの一部は３０〜８０質量％であることを特徴とするポリマー溶液の脱溶媒方法。
【請求項３４】上記配管に気液混合器が配設されており、上記スチームの一部を該気液混合器に供給する請求項３３に記載のポリマー溶液の脱溶媒方法。




【国際調査報告】
2004007567.tif 000034
2004007567.tif 000035
2004007567.tif 000036